(57)【要約】【課題】受験生等が使用する試験の解答用紙において、提出後に自分の解答内容が記録された控用紙を残すことができる控用紙付解答用紙を提供する。【解決手段】上側の解答用紙１と下側の控用紙２の各々対応する所定部分に記録手段を施す。解答用紙１と控用紙２は切り取りミシン８や接着部分３から剥離可能で、解答後両者を分離し解答用紙１のみを提出する。【選択図】        図１
2004216850.tif 000002
【特許請求の範囲】
【請求項１】
少なくとも２枚の用紙からなり各用紙が重なり合うと共に上側の解答用紙に書き込んだ内容が下側の控用紙に記録されることを特徴とした控用紙付解答用紙。
【請求項２】
請求項１の各用紙が別体の用紙からなることを特徴とした控用紙付解答用紙。
【請求項３】
請求項１の各用紙が折り合わせにより複数の用紙としたことを特徴とした控用紙付解答用紙。
【請求項４】
請求項１の各用紙が別体の用紙と折り合わせた用紙の混合からなることを特徴とした控用紙付解答用紙。
【請求項５】
控用紙と問題用紙が一体になった請求項１乃至４に記載の控用紙付解答用紙。
【発明の詳細な説明】
【０００１】
【発明の属する技術分野】
本発明は、学校等で使用される試験の解答用紙に関する。詳しくは控用紙が備えられているために、解答用紙を提出した後にも自分の解答を確認することができる控用紙付解答用紙に関する。
【０００２】
【従来の技術】
従来各種学校や塾等で行われる試験は問題用紙と解答用紙が別々であり、生徒達は問題の解答を解答用紙に記入し、問題用紙は手元に置いたまま解答用紙のみを提出していた。そしてその後に解答の見本や問題の解説等を配布してもらい、自分の解答の正誤を記憶を頼りに確認していた。
【０００３】
【発明が解決しようとする課題】
従来の方法では、試験終了後に解答用紙を提出してしまう。そのため自分の解答の正誤を確認する場合記憶を頼りに確認していた。そこで確実に正誤を確認できるよう問題用紙に走り書きすれば良いのだが、そのような手間に時間を割くよりは正解を求めるために時間を掛けたいものだ。
本発明は、上記問題に鑑み、試験中に一切の手間が掛かることなく、しかも試験終了後に自分の解答の正誤が確実に行える控用紙付解答用紙を提供するものである。
【０００４】
【課題を解決するための手段】
上記課題を解決するために本発明の控用紙付解答用紙は、少なくとも２枚の用紙からなり各用紙が重なり合うと共に上側の解答用紙に書き込んだ内容が下側の控用紙に記録されることを特徴としている。
本発明の控用紙付解答用紙は複数の用紙が重なり、例えば２枚の用紙から構成される場合は上側の用紙が解答用紙として試験終了後に提出され、下側の用紙が控用紙となる。２枚の用紙の構成は別体の１枚の用紙が重ね合わされて天糊により正本されていてもよく、１枚の用紙を折り合わせて２枚にして折り線から切り離すように構成しても構わない。さらに複数の用紙が正本されていても構わず、その場合別体の用紙の重ね合わせや折返しの構成が混在していても構わない。
【０００５】
また例えば上側の用紙と下側の用紙を剥離可能、剥離後再接着可能に接着（以下疑似接着という）しておけば、控用紙に問題の解答や解説を同じ表面に記載でき至便である。この場合、再接着が不能なために、解答用紙提出前に剥離することができないため隠蔽性や機密性に優れている。
前記疑似接着に換えて上側の用紙と下側の用紙の周囲を帯状に接着して、強制駅的に引き剥がし提出してもよく、その場合帯状の接着部分の内部に切り取りミシンを形成しておいて切り離して提出するようにしてもよい。
受験者は解答用紙を提出した後に残った控用紙に記載されている自分の解答を、同じ表面に予め記載されていた正解や解説を読みながら確認できる。
【０００６】
上側の用紙に記載した内容を下側の用紙に記録する手段として公知の手段が採用可能である。
例えば従来から使用されているカーボン用紙のカーボンを、上側の用紙の裏面に形成しておけば、下側の用紙に記録することができる。この場合、カーボンを全面に形成するのではなく、必要とする解答記入部分のみにスポット形成しておけば余分な部分に汚れ等が不本意に記録されることがなく、また加工も安価で経済的である。
またマイクロカプセル等からなり、圧力により発色する感圧性の発色剤を必要な部分に形成しておいても前記同様に記録が可能になる。
さらに下側の用紙が合成紙や腰の弱い柔軟な用紙からなり、加圧による変質・変形を利用して容易に記録を確認するようにしても構わない。
【０００７】
【作用】
上側の提出用の解答用紙に記入した解答が、自動的に下側の控用紙に記録される。
【０００８】
【発明の実施の形態】
以下本発明の実施例を図面に沿って詳しく説明する。
図１（Ａ）、（Ｂ）は  本発明の控用紙付解答用紙の断面図と斜視図を表す。図２（Ａ）、（Ｂ）は本発明の別な態様の控用紙付解答用紙の断面図と斜視図を表す。図３（Ａ）、（Ｂ）、（Ｃ）はさらに異なる態様の断面図と各用紙の平面図をそれぞれ表す。図４（Ａ）、（Ｂ）は問題用紙が一体化された場合の本発明の平面図と断面図をそれぞれ表す。
【０００９】
（実施例１）
図１（Ｂ）に示す如く本実施例の控用紙付解答用紙の第１の態様は、解答用紙１と控用紙２が接着部分３で剥離可能に製本加工されている。上側の解答用紙１表面には同図（Ｂ）に示す如く解答者の氏名等記入欄の他に解答欄４が記載されている。そして下側の控用紙２表面には上側の解答用紙１の解答欄４に対応する位置に、控え用の解答欄５が記載されている。本実施例は下側の控用紙２を上側の解答用紙１より大きく設定しているために、上辺を揃えて２枚重ねると下側の控用紙２の下部が表出する。従って、この表出部分にこの控用紙付解答用紙Ｓ１の使用方法や試験の予告日程等を記載して受験者に試験情報７等を告知することができる。
【０００９】
この控用紙付解答用紙Ｓ１の使用方法は、別に用意されている問題の解答を上側の解答用紙１表面の解答欄４に記入すればよい。そうすると解答用紙１裏面又は／及び控用紙２表面に形成されている既述の記録手段が反応し、自動的に控用紙２表面の控え用の解答欄５に記録されることになる。
解答終了後に受験者は上部に設けられている接着部分３に形成された切り取りミシン８から切り離し（上側の解答用紙１を接着部分３から強制的に引き剥がすようにしてもよい）分離して上側の解答用紙１のみを提出する。しかし受験者は自分の解答を控えておけるため、その後配布される解答と自分の解答を確実に比較することができるのである。
【００１０】
（実施例２）
第２図（Ａ）及び（Ｂ）は本発明における第２の態様の控用紙付解答用紙Ｓ２を示す。前記実施例１との相違は、解答用紙１１と控用紙１２が折りミシン１３を介して連接した１枚の用紙を折りミシン１３で折り返すことにより実施例１と同様の機能としたものである。
受験者は解答記入後、上側の解答用紙１１と下側の控用紙１２を折りミシン１３から切り離し提出すればよい。
【００１１】
（実施例３）
図３（Ａ）、（Ｂ）及び（Ｃ）はさらに異なる態様の控用紙付解答用紙Ｓ３を示す。同図（Ａ）から分かるように本第３実施例は解答欄２４と試験情報２６等が記載され、上側の解答用紙２１と下側の控用紙２２がほぼ同じ大きさで重なり合っている。そして同図（Ｂ）に示す如く周囲が接着部分２３により接着されている。切り取りミシン２８は解答記入後提出する時に切り離すための手段で、接着部分が剥離可能に設計されていれば省略することも可能である。
既述の２種類の態様と本実施例の第３の態様の相違は、控用紙２２表面に記載されている内容が、控え用の解答欄２５以外に正解や問題に関する解説２７等が一緒に記載されている点である。
受験者は上側の解答用紙２１を切り取りミシン２８から切り取り提出した後に、自分の解答の記録を確認できるばかりか正解や問題に関する解説２７等を合わせて参照することが可能になる。なお提出前に解答を確認しようとすると控用紙付解答用紙Ｓ３自体を破壊しなければならないため、不正も防止される。
【００１２】
なお、本発明は上記実施例に限定されるものではない。
例えば図４に示す如く、問題用紙３１と控用紙３３が連接されており、解答用紙３２が折りミシン３４から折り畳まれた形態にすれば、解答用紙３２（表面に解答欄３６と試験情報３７が記載されている）を切り離し提出した後に問題用紙３１と控用紙３３の両者が残るため非常に至便である。勿論この場合、実施例１の如く解答用紙３２を別体の用紙にしてもよく、さらに実施例３の様に正解や問題に関する解説欄を控用紙３３表面に設けることも可能である。
また、正解や問題に関する解説欄が透けて見えないように、隠蔽性の強い用紙を用いたり、光吸収性の顔料や染料を添加した合成紙等の樹脂類のシート及びアルミ箔等をサンドイッチした用紙等が好適に使用でき、さらに隠蔽性を高めるために、各用紙の表裏面にパターンやベタ印刷を施すことも可能である。
前記実施例は解答用紙と控用紙の２枚からなる控用紙付解答用紙であるが、それ以上の枚数からなる構成でも構わず、記録されるされる控用紙が複数枚に渡って記録されてもよい。
また各用紙の大きさ等にも制限はなく、さらに各用紙の間に記録手段のための用紙等が挿入されていても構わない。
【００１３】
【発明の効果】
本発明の控用紙付解答用紙によれば、上側の提出用の解答用紙に記入した解答が、自動的に下側の控用紙に記録される。受験者は解答用紙を提出した後で後に配布される正解や問題の解説等を参照しながら確実に自分の解答と照らし合わせながら採点することができる。
また、控用紙に正解や問題の解説等を合わせて記載しておけば、さらに手間が省け効率的である。
さらに問題用紙も合わせて一体に設けると、本発明で全ての用紙が一体化されるために、紛失等の事故がなくなると共に極めて効率的に確実な自己採点が可能になる。
【図面の簡単な説明】
【図１】（Ａ）及び（Ｂ）は  本発明の控用紙付解答用紙の断面図と斜視図を表す。
【図２】（Ａ）及び（Ｂ）は本発明の別な態様の控用紙付解答用紙の断面図と斜視図を表す。
【図３】（Ａ）、（Ｂ）及び（Ｃ）はさらに異なる態様の断面図と各用紙の平面図をそれぞれ表す。
【図４】（Ａ）及び（Ｂ）は問題用紙が一体化された場合の本発明の平面図と断面図をそれぞれ表す。
【符号の説明】
Ｓ１、Ｓ２、Ｓ３、Ｓ４  控用紙付解答用紙
１、１１、２１、３２  解答用紙
２、１２、２２、３３  控用紙
３、２３  接着部分
１３、３４  折りミシン
４、１４、２４、３６  解答欄
５、１５、２５  控え用の解答欄
６、１６、２６、３７    試験情報
２７  正解や問題の解説
８、２８、  切り取りミシン
３１  問題用紙
３５  問題欄
【図１】
2004216850.tif 000003
【図２】
2004216850.tif 000004
【図３】
2004216850.tif 000005
【図４】
2004216850.tif 000006